(57)【要約】【課題】広告用吊幕の交換作業や設置作業及び撤去作業に伴う広告用吊幕の皺や破れを防止する為、壁面等に取付した各種部材の取外しを必要とせず前記作業を可能とした広告用吊幕等吊設具の提供を目的とする。【解決手段】本発明による広告用吊幕等吊設具１０は、吊幕２０と吊幕上縁２１及び吊幕下縁２２に着装した上部及び下部の吊幕芯体３０と、該吊幕芯体３０を挟掴する一対の筒体よりなり互いに平行に配置され接合され一体となり該一対の筒体のうち少なくとも一方の筒体は該筒体の長手方向両端の一端より他端に亘り該筒体外側より該筒体内側に連通する嵌込開口部を有した単数又は所要複数の挟掴部材４０を取付した上部及び下部の基礎部材５０とよりなり、更に該双方の基礎部材５０は吸着盤等の取付部材６０により壁面等１１に取付可能とすることにより、壁面等１１に上部及び下部の基礎部材５０とを取付した状態において吊幕２０の交換を可能としてある。【選択図】  図１
2004258551.tif 000002
【特許請求の範囲】
【請求項１】
吊幕の上縁及び下縁のうち少なくとも上縁に着装した棒状の吊幕芯体を、壁面等に取付する単数又は所要複数の取付部材を備えた棒状の基礎部材に設けた単数又は所要複数の挟掴具により着脱可能に挟掴し、基礎部材を取付部材により壁面等に取付し吊幕に着装した棒状の吊幕芯体を挟掴具により挟掴し、壁面等に広告用吊幕等の吊幕を吊設することを特徴とする広告用吊幕等吊設具。
【請求項２】
請求項１記載の挟掴具を一対の筒体よりなり互いに平行に配置され接合され一体となり、該一対の筒体のうち少なくとも一方の筒体は該筒体の長手方向両端の一端より他端に亘り該筒体外側より該筒体内側に連通する嵌込開口部を有し、該嵌込開口部より吊幕芯体又は基礎部材を嵌込可能とした筒状挟掴具としてあることを特徴とする広告用吊幕等吊設具。
【請求項３】
請求項１又は請求項２記載の基礎部材に設けた取付部材を吸着盤としたことを特徴とする広告用吊幕等吊設具。
【発明の詳細な説明】
【０００１】
【発明が属する技術分野】
本発明は、主として各種取引分野における各種商品又は役務の販売促進等を目的とした可撓性の幕状広告展示物を壁面等に吊設する広告用吊幕等吊設具に関するものである。
【０００２】
【従来の技術】
従来より各種取引分野における各種商品又は役務の販売促進等を目的とした文句や図案の印刷された可撓性の幕状広告展示物は、店頭や市街等に錘を備え安定状に設置した支持基台により支持し概垂直に立設した支柱及び該支柱より延出した横軸に該可撓性の幕状広告展示物の縁に取付した布片等によりを取付し広げた状態で掲出されていたが（例えば、特許文献１参照。）、自動車等の運転手や通行人等の視界を妨げたり支柱の転倒による自動車等や通行人等への接触等が多発し難点となっており、近年は該難点が特に問題視されている為に条例による規制がなされている地域もあり、現在は前記した掲出手段に代えて店頭の窓硝子や壁面等に可撓性の幕状広告展示物を該面と概平行に吊幕として吊設し掲出する為に、広告用吊幕の上縁及び下縁に上縁及び下縁をそれぞれ一定巾の折返部を設け縫着等し棒状の芯体を挿通する芯体挿通部を設ける等の手段により芯体を広告用吊幕に取付し、該芯体の両端部に吊紐を取付し吊設面に設けた突起等に掛止し、又は吊紐に取付した吸着盤等の取付部材により壁面等に取付し、又は挿通した該芯体の両端部を広告用吊幕の左右端部より突出させ該突出部に取付した吸着盤等の取付部材により壁面等に取付し吊設する手段が提案され実施されている（例えば、特許文献１参照。）。
【０００３】
【特許文献１】
特開平８−１２３３４７号公報（第１図）
【特許文献２】
登録実用新案３０７３７０８号公報（第１図）
【０００４】
【発明の解決しようとする課題】
こうした各種取引分野における各種商品等の販売促進等を目的とした文句や図案の印刷された可撓性の幕状広告展示物は、その各種商品等の需要に応じ適宜に文句や図案を変更し又は広告し販売促進等する各種商品等の変更により、更に季節や時刻に応じ十分な広告効果を奏すこととする為に掲出期間の短い仮設的要素が強くあり、短時日のうちに交換作業を繰返すことが必要となり、あるいは設置作業及び撤去作業を繰返すことが必要となる為、その作業は煩雑性を伴わず簡易な作業としてあることが望ましい。
【０００５】
しかしながら前述した各種取引分野における各種商品等の販売促進等を目的とした文句や図案の印刷された可撓性の幕状広告展示物を壁面等に取付し吊設する手段は、幕状広告展示物の交換作業において広告用吊幕の芯体挿通部に挿通した芯体の両端部に取付し吊設面に設けた突起に掛止した吊紐を該突起より外し該広告用吊幕の吊設状態を解除した後に芯体の両端部のうち少なくとも一方の該吊紐を取外し広告用吊幕の芯体挿通部より芯体を抜出し、あるいは広告用吊幕の芯体挿通部に挿通した芯体の広告用吊幕の左端及び右端より突出した突出部に取付した吸着盤等の取付部材を取外し広告用吊幕の芯体挿通部より芯体を抜出した後、新たに掲出する広告用吊幕と交換する為の壁面等への取付作業を要するが、広告用吊幕は壁面等の吊設面の有効活用等の観点より長寸としてある為に特に上部の該取付作業は高所にて行われ、かつ美観を損ねない為に好ましい角度であり尚且つ皺の出来ない様に取付する事を要するため位置決め作業は大変手間のかかる作業となり該作業に伴い広告用吊幕の破れや汚損が生じる等の難点があり、本発明はこれら難点を解決するため、壁面等に取付した取付部材の取外しを必要とせず、広告用吊幕の交換や設置及び撤去を容易とした広告用吊幕等吊設具の提供を課題とする。
【０００６】
【課題を解決するための手段】
上記課題を解決するため本発明による広告用吊幕等吊設具は、吊幕の上縁及び下縁のうち少なくとも上縁に着装した棒状の吊幕芯体を、壁面等に取付する単数又は所要複数の取付部材を備えた棒状の基礎部材に設けた単数又は所要複数の挟掴具により着脱可能に挟掴し、基礎部材を取付部材により壁面等に取付し吊幕に着装した棒状の吊幕芯体を挟掴具により挟掴し、壁面等に広告用吊幕等の吊幕を吊設することを手段とする。
【０００７】
前記手段において上記課題を解決するため本発明による広告用吊幕等吊設具は、挟掴具を一対の筒体よりなり互いに平行に配置され接合され一体となり、該一対の筒体のうち少なくとも一方の筒体は該筒体の長手方向両端の一端より他端に亘り筒体外側より筒体内側に連通する嵌込開口部を有し、該嵌込開口部より吊幕芯体又は基礎部材を嵌込可能とした筒状挟掴具としてあり、また前記手段において上記課題を解決するため本発明による広告用吊幕等吊設具は、基礎部材に設けた取付部材を吸着盤としてあることが望ましい。
【０００８】
【発明の実施の形態】
本発明による広告用吊幕等吊設具１０は、吊幕２０と吊幕上縁２１及び吊幕下縁２２に着装した上部及び下部の吊幕芯体３０と、該吊幕芯体３０を挟掴する一対の筒体よりなり互いに平行に配置され接合され一体となり該一対の筒体のうち少なくとも一方の筒体は該筒体の長手方向両端の一端より他端に亘り該筒体外側より該筒体内側に連通する嵌込開口部４１を有した単数又は所要複数の挟掴部材４０を取付した上部及び下部の基礎部材５０とよりなり、該双方の基礎部材５０は吸着盤等の取付部材６０により壁面等１１に取付可能としてあり、壁面等１１に上部及び下部の基礎部材５０とを取付した状態において吊幕２０の交換を可能としてある。
【０００９】
壁面等１１に取付する上部及び下部の基礎部材５０は棒状としてあり該基礎部材５０には壁面等１１に取付する単数又は所要複数の取付部材６０を取付部材基部６２に設けた取付部材固定孔６３に挿通し固定状として設けてあり、該取付部材６０は基礎部材５０を安定状に壁面等１１に取付可能とする為に基礎部材両端部に対に固定状として設けてあることが望ましく、壁面等１１への基礎部材５０の取付は取付部材６０と壁面等１１とを螺子止や接着または壁面等１１に設けた掛止突起１２により掛止する等の手段により取付するが、取付する壁面等１１が硝子面等であれば取付部材６０を吸着盤としてもよく、また吸着盤とした取付部材６０を壁面等１１に取付する際に壁面等１１が吸着盤の吸着が困難であれば板状であり一方の面を吸着盤の吸着を容易とした平面とした吸着補助板の他方の面をを壁面等１１に接着等により取付し該吸着補助板に吸着盤を吸着させ基礎部材５０を取付してもよい。
【００１０】
壁面等１１に吊設する吊幕２０は吊幕上縁２１および吊幕下縁２２を一定巾に折返し縁部を縫着手段または接着手段や融着手段等により固定し形成する芯体挿通部２３を有しており該芯体挿通部２３に吊幕芯体３０を挿通し（図２及び図６参照。）、あるいは吊幕上縁２１および吊幕下縁２２より一定巾を吊幕芯体３０に巻着し接着手段により固定状とし取付するが（図７参照。）、該吊幕２０の吊幕上縁２１付近および吊幕下縁２２付近に単数又は所要複数の板状芯材２６を取付又は長さ方向の折線を介し曲折しあるいは対に設けた該板状芯材２６により挟込し取付し掛止部２７とし（図８参照。）、又は単数又は所要複数のステープラー針等の掛止片２４を取付し掛止部２７とし（図９参照。）、又は吊幕上縁２１付近および吊幕下縁２２付近の概一定巾の一回又は所要複数回の折返しによる段部２５を設け掛止部２７とし（図１０参照。）、吊幕芯体３０を中空の筒状の筒状吊幕芯体３３とし該筒状吊幕芯体３３の長手方向両端の一端より他端に亘り筒状吊幕芯体３３外側より筒状吊幕芯体３３内側に連通する差込割部３４を設け、該差込割部３４端部より吊幕２０を該吊幕２０に取付又は設けた掛止片２４又は段部２５を筒状吊幕芯体３３の内部に入るよう差込し取付してもよく（図３参照。）、また筒状吊幕芯体３３の長さは吊幕２０の巾より長くしてあり該筒状吊幕芯体３３の両端部は差込し取付した吊幕２０をずれを生じさせず安定状とする為に該両端部には蓋部材３５が着脱可能に嵌着又は差込されていることが好ましい。
【００１１】
基礎部材５０に取付し吊幕芯体３０を挟掴する単数又は所要複数の挟掴部材４０は一対の筒体よりなり互いに平行に配置され接合され一体としてあり、一方の筒体は基礎部材５０を挿通し取付する取付筒４２であり他方の筒体は吊幕芯体３０を挟掴する挟掴筒４３であるため、該一対の筒体のうち少なくとも挟掴筒４３は該筒体の長手方向両端の一端より他端に亘り該筒体外側より該筒体内側に連通する嵌込開口部４１を設け、該嵌込開口部４１より吊幕芯体３０を嵌込取付可能としてあるが（図４参照。）、広告用吊幕等吊設具１０を組立又は分解する際に基礎部材５０への挟掴部材４０の取付又は取外しを容易とする為に挟掴部材４０の取着筒４２も該筒体の長手方向両端の一端より他端に亘り該筒体外側より該筒体内側に連通する嵌込開口部４１を設け、該嵌込開口部４１より基礎部材５０を嵌込し挟掴部材４０を基礎部材５０に取付可能としてあることが好ましい（図５参照。）。
【００１２】
前述した構成により本発明による広告用吊幕等吊設具１０は、壁面等１１に基礎部材５０を該基礎部材５０に取付した吸着盤等よりなる取付部材６０を取付し該基礎部材５０に取付筒４２により取付した挟掴部材４０の挟掴筒４３により吊幕２０に取付した吊幕芯体３０を挟掴し、吊幕２０を壁面等１１に吊設可能としてあり、また前述した構成と共に、様々な壁面等１１に対応すべく壁面等１１に設けた掛止金具に掛止する基礎部材５０には基礎部材両端部に吊紐を取付してあることが好ましい。
【００１３】
なお前述した広告用吊幕等吊設具１０は吊幕２０を上部及び下部にそれぞれ設けた基礎部材５０と該基礎部材５０に取付した取付部材６０と該基礎部材５０に取付した挟掴部材４０とよりなる基礎部材等により吊設することとしているが、吊旗であれば上部の基礎部材等による吊下による吊設のみで足ると共に天井にも吊設可能であり（図１１参照。）、上部又は下部の基礎部材等より一の基礎部材等のみ用いた広告用吊幕等吊設具としても良い。
【００１４】
【発明の効果】
上述した構成により垂直の壁面や水平の天井あるいは傾斜のある斜面等の各種壁面等に吊幕を吊設可能としてあり、壁面等に取付した基礎部材に取付した挟掴部材の弾性挟掴により吊幕と該吊幕に取付した吊幕芯体とを吊設可能してあるため、該吊幕と吊幕芯体とを壁面に基礎部材を取付した状態で容易に取外し可能となり、また吊幕を交換後の再度の取付も容易であり、壁面等への取付に際しての位置決めは最初の基礎部材取付時のみで足り、該最初の基礎部材取付時に吊幕に皺を生じさせずに位置決めがなされていれば吊幕の交換等による再度の取付の際は容易に最初の取付時の位置に吊幕に皺を生じさせずに取付可能としてあり、更に位置決めをして壁面等へ取付した基礎部材に吊幕及び吊幕芯体を取付可能としたことにより、吊幕の取付時の位置決め作業に伴う破れや汚損等を防止可能となり、短時日のうちに吊幕の交換作業を繰返す必要があり、あるいは設置及び撤去を繰返す必要があり、また美観を重要視する必要がある広告用吊幕等の実態に適した広告用吊幕等吊設具と出来る。
【図面の簡単な説明】
【図１】広告用吊幕等吊設具の斜視図
【図２】吊幕芯体の挿込取付を示す概要斜視図
【図３】吊幕芯体の取付を示す概要破断斜視図
【図４】嵌込開口部を一方に有す挟掴部材の斜視図
【図５】嵌込開口部を双方に有す挟掴部材の斜視図
【図６】芯体挿通部を有す吊幕の取付を示す要部概要縦断面図
【図７】吊幕芯体に巻着した吊幕の取付を示す要部概要縦断面図
【図８】板状芯材により吊幕芯体に取付した吊幕の取付を示す要部概要縦断面図
【図９】掛止片により吊幕芯体に取付した吊幕の取付を示す要部概要縦断面図
【図１０】段部により吊幕芯体に取付した吊幕の取付を示す要部概要縦断面図
【図１１】天井に取付した吊旗の斜視図
【符号の説明】
１０  広告用吊幕等吊設具
１１  壁面等
２０  吊幕
２３  芯体挿通部
２４  掛止片
３０  吊幕芯体
３４  差込割部
４０  挟掴部材
４１  嵌込開口部
４２  取付筒
４３  挟掴筒
５０  基礎部材
６０  取付部材
【図１】
2004258551.tif 000003
【図２】
2004258551.tif 000004
【図３】
2004258551.tif 000005
【図４】
2004258551.tif 000006
【図５】
2004258551.tif 000007
【図６】
2004258551.tif 000008
【図７】
2004258551.tif 000009
【図８】
2004258551.tif 000010
【図９】
2004258551.tif 000011
【図１０】
2004258551.tif 000012
【図１１】
2004258551.tif 000013